(57)【要約】【課題】  通信の履歴を管理するサーバを設けることなく、簡易なシステム構成で接続異常データ等を管理できるインターホンシステムを提供する。【解決手段】  インターホン子機１及びインターホン親機２は、接続先との間の接続確認を実施し、接続異常が発生したら接続異常データを子機記憶部１５或いは親機記憶部２６に保存する一方、通信ネットワークＮを介してインターホン子機１及びインターホン親機２のそれぞれに記憶されたデータを収集するシステム管理装置３を有し、システム管理装置３の所定の操作によりデータ収集が行われ、収集結果がディスプレイ３１に表示される。【選択図】  図１
2015041915.tif 000002
【特許請求の範囲】
【請求項１】
インターホン子機とインターホン親機とが通信ネットワークを介して接続されたインターホンシステムにおいて、
前記インターホン子機及び前記インターホン親機は、接続先との間の接続確認を行う接続確認手段と、接続異常が発生したら接続異常データを記憶する接続情報記憶部とを有する一方、
前記通信ネットワークを介して、前記インターホン子機及び前記インターホン親機の前記接続情報記憶部から前記データを読み取る管理制御部と、読み取ったデータを保存するデータ保存部と、収集結果を表示する表示部とを有するシステム管理装置を備え、
前記システム管理装置は、所定のデータ収集開始操作を受けて前記データを収集することを特徴とするインターホンシステム。
【請求項２】
前記インターホン子機及び前記インターホン親機は、各種設定データを記憶する設定記憶部を有し、
前記システム管理装置の管理制御部は、前記データ収集操作が成されたら、前記設定記憶部に記憶されている各種設定情報を入手して前記データ保存部に保存することを特徴とする請求項１記載のインターホンシステム。
【請求項３】
前記インターホン子機及び前記インターホン親機の接続確認手段は、接続先に対して定期的に接続確認を行うことを特徴とする請求項１又は２記載のインターホンシステム。
【発明の詳細な説明】
【技術分野】
【０００１】
本発明は、通信ネットワークを介して機器同士が接続されたインターホンシステムに関する。
【背景技術】
【０００２】
ＬＡＮやインターネット等の通信ネットワークを介してインターホン子機とインターホン親機とが接続され、呼び出し／通話を可能としたインターホンシステムがある（例えば、特許文献１参照）。
このような通信ネットワークを利用したシステムは、通信履歴等を管理するためには通信ネットワーク上に別途サーバを設ける必要があった。サーバを設けることで、通信の履歴や各種設定情報を保存したり、機器間の通信に異常が発生した場合はそれらの情報が記録できるため、システム復旧の際にはそれらのデータを活用でき、復旧操作をスムーズに行うためには有効な手段であった。
【先行技術文献】
【特許文献】
【０００３】
【特許文献１】特開２０１３−４６２３３号公報
【発明の概要】
【発明が解決しようとする課題】
【０００４】
一方、サーバを持たないシステムの場合、低コストでシステムを構築できる代償として、接続異常情報や設定情報を一括して管理することができないため、異常発生時はインターホン親機個々において保存されている履歴情報を基に復旧を進めるしかなく、復旧操作が面倒であり時間を要していた。
【０００５】
そこで、本発明はこのような問題点に鑑み、通信の履歴等を管理するサーバを設けることなく、安価なシステム構成で接続異常データ等を管理できるインターホンシステムを提供することを目的としている。
【課題を解決するための手段】
【０００６】
上記課題を解決する為に、請求項１の発明は、インターホン子機とインターホン親機とが通信ネットワークを介して接続されたインターホンシステムにおいて、インターホン子機及びインターホン親機は、接続先との間の接続確認を行う接続確認手段と、接続異常が発生したら接続異常データを記憶する接続情報記憶部とを有する一方、通信ネットワークを介して、インターホン子機及びインターホン親機の接続情報記憶部からデータを読み取る管理制御部と、読み取ったデータを保存するデータ保存部と、収集結果を表示する表示部とを有するシステム管理装置を備え、システム管理装置は、所定のデータ収集開始操作を受けてデータを収集することを特徴とする。
この構成によれば、システム管理装置がインターホン機器の接続異常データを収集するため、インターホン機器の通信状態を常時管理するサーバが接続されていなくても、発生した接続異常を把握でき、異常発生に対処できる。
また、システム管理装置はデータ収集開始操作を受けてデータ収集を行うため、インターホン機器側でシステム管理装置を認識する必要が無く、必要なときだけシステム管理装置を通信ネットワークに接続すれば良く、簡易なシステム構成でデータ管理ができる。
【０００７】
請求項２の発明は、請求項１に記載の構成において、インターホン子機及びインターホン親機は、各種設定データを記憶する設定記憶部を有し、システム管理装置の管理制御部は、データ収集開始操作が成されたら、設定記憶部に記憶されている各種設定情報を入手してデータ保存部に保存することを特徴とする。
この構成によれば、インターホン機器の各種設定情報がシステム管理装置に保存されるため、サーバを持たないシステムであっても各種設定情報を管理でき、インターホン機器に異常が発生してもスムーズな復旧が可能となる。
【０００８】
請求項３の発明は、請求項１又は２に記載の構成において、インターホン子機及びインターホン親機の接続確認手段は、接続先に対して定期的に接続確認を行うことを特徴とする。
この構成によれば、接続確認は定期的に実施されるため、呼出操作が行われなくても接続異常の発生を検出できる。そのため、早期に認識することが可能となる。
【発明の効果】
【０００９】
本発明によれば、システム管理装置がインターホン機器の接続異常データを収集するため、インターホン機器の通信状態を常時管理するサーバが接続されていなくても、発生した接続異常を把握でき、異常発生に対処できる。また、システム管理装置はデータ収集開始操作を受けてデータ収集が行われるため、インターホン機器側でシステム管理装置を認識する必要が無く、必要なときだけシステム管理装置を通信ネットワークに接続すれば良く、簡易なシステム構成でデータ管理ができる。
【図面の簡単な説明】
【００１０】
【図１】本発明に係るインターホンシステムの一例を示す構成図である。
【発明を実施するための形態】
【００１１】
以下、本発明を具体化した実施の形態を、図面を参照して詳細に説明する。図１は本発明に係るインターホンシステムの一例を示す構成図であり、１はインターホン子機（以下、単に「子機」と称する。）、２はインターホン親機（以下、単に「親機」と称する。）、３はシステム管理装置である。各機器はＬＡＮ或いはインターネット等の通信ネットワークＮを介して接続されている。尚、ここでは、子機２台、親機２台を備えた構成を示しているが、何れの数も設置環境により変更される。
【００１２】
子機１は、親機２を選択して呼出操作する子機操作部１１、通話するためのマイク１２及びスピーカ１３、訪問者を撮像するためのカメラ１４、ＩＰアドレス等の呼出先情報に加えて子機１の設定情報や接続異常発生情報等を記憶する子機記憶部１５、子機１を制御する子機ＣＰＵ１６、通信ネットワークＮに接続して親機２と通信するための子機通信ＩＦ１７等を備えている。
【００１３】
親機２は、呼び出しを受けて応答するための通話ボタン２１、通話するためのマイク２２及びスピーカ２３、各種操作を行う操作部としてのタッチパネル２４、カメラ１４の撮像映像や各種情報を表示する表示部２５、ＩＰアドレス等の呼出先情報に加えて親機２の設定情報や接続異常発生情報等を記憶する親機記憶部２６、親機２を制御する親機ＣＰＵ２７、通信ネットワークＮに接続して子機１や他の親機２と通信するための親機通信ＩＦ２８等を備えている。
【００１４】
システム管理装置３はパーソナルコンピュータにより構成され、子機１、親機２等のインターホン機器から所定の情報を入手するためのインターホンシステム支援用ソフトウェア（以下、「支援ソフト」と称する）がインストールされ、子機１及び親機２から収集したデータを表示するディスプレイ３１を備えている。支援ソフトは、子機１及び親機２等のインターホン機器に対する各種設定を可能とすると共に、子機記憶部１５及び親機記憶部２６に記憶された設定情報や接続異常発生情報を読み取って管理するためのソフトウェアであり、システム管理装置３の所定の操作により起動し、データ収集を開始する。
そのため、支援ソフトが停止しているときはシステム管理装置３をシャットダウンできるし通信ネットワークＮから取り外すこともできる。
尚、３２はシステム管理装置３を制御する管理制御部、３３は収集したデータを保存するデータ保存部を示している。
【００１５】
このように構成されたインターホンシステムの動作は以下のようである。子機１からの呼び出し及び親機２からの応答については従来と同等であるため説明を省略し、ここではシステム管理装置３の動作を中心に説明する。
子機１の子機記憶部１５、親機２の親機記憶部２６には、呼出先の機器を特定するためのＩＰアドレス情報が登録されており、呼出操作が行われたら呼出先のＩＰアドレスに対して接続確認が実施される。尚、子機１から親機２を呼び出しできるのは勿論のこと、一方の親機２から他方の親機２の呼び出しも可能であり、このとき接続確認が実施される。
以下、子機１と親機２とは同様の接続確認動作を実施するため、子機１の動作を中心に説明する。
【００１６】
子機操作部１１が操作されて、呼出先が選択されて呼出操作が成されたら、子機ＣＰＵ１６により選択されたＩＰアドレスに対して呼出コマンドが送信され、接続確認が行われる。この時、応答信号が無く接続確認ができなければ、子機ＣＰＵ１６は接続異常発生と判断し、子機記憶部１５に発生時間及び接続異常となった呼出先等の異常発生履歴を記録する。尚、接続異常が発生したら、呼出先親機２において呼出音は鳴動しない。
【００１７】
こうして子機記憶部１５（及び親機記憶部２６）に記録された接続異常の発生履歴は、システム管理装置３の所定の操作で読み取られる。システム管理装置３が所定の起動操作を受けると管理制御部３３の制御により支援ソフトが起動する。支援ソフトが起動すると、管理装置制御部３３が支援ソフトに予め登録されている子機１及び親機２を通信ネットワークＮ上で捜索し、それぞれの記憶部（子機記憶部１５及び親機記憶部２６）に登録されている接続異常発生履歴を読み取って、システム管理装置３内の図示しないＨＤＤ等のデータ保存部３３に保存する。このとき、各種設定情報も併せて読み取って接続異常発生履歴と同様に保存される。
【００１８】
更に、接続異常発生履歴は、時系列あるいは呼出先別に並べ替えられてディスプレイ３１に表示される（図示せず）。システム管理装置３の操作者は、こうしてディスプレイ３１に表示される一覧から接続異常発生履歴を確認することができる。また、併せて読み取った各種設定情報も、所定の表示操作を行うことでディスプレイ３１に表示される。
【００１９】
このように、システム管理装置３が子機１及び親機２等のインターホン機器の接続異常データを収集するため、インターホン機器の通信状態を常時監視するサーバが接続されていなくても、発生した接続異常を把握でき、異常発生に対処できる。
また、システム管理装置３はデータ収集開始操作を受けてデータ収集が行われるため、インターホン機器側でシステム管理装置３を認識する必要が無く、必要なときだけシステム管理装置３を通信ネットワークＮに接続すれば良く、簡易なシステム構成でデータ管理ができる。
更に、インターホン機器の各種設定情報がシステム管理装置３に保存されるため、サーバを持たないシステムであっても各種設定情報を管理でき、インターホン機器に異常が発生してもスムーズな復旧が可能となる。
【００２０】
尚、上記実施形態は、接続確認を呼出コマンド送信時に行っているが、登録されている呼出先に対しては定期的（たとえば１時間間隔）に接続確認を行なっても良く、定期的に実施することで、呼出操作が行われなくても接続異常の発生を検出でき、早期に認識することが可能となる。
【符号の説明】
【００２１】
１・・インターホン子機、２・・インターホン親機、３・・システム管理装置、１５・・子機記憶部（接続情報記憶部、設定記憶部）、１６・・子機ＣＰＵ（接続確認手段）、２６・・親機記憶部（接続情報記憶部、設定記憶部）、２７・・親機ＣＰＵ（接続確認手段）、３１・・ディスプレイ（表示部）、３２・・管理制御部、３３・・データ保存部、Ｎ・・通信ネットワーク。
【図１】
2015041915.tif 000003